(57)【特許請求の範囲】
【請求項１】
レンズを保持するレンズホルダが取り付けられる内周面を有する略筒状に形成され前記レンズの光軸方向へ移動可能な可動体と、前記可動体を前記光軸方向へ移動可能に保持する固定体と、前記可動体を前記光軸方向へ駆動する駆動機構とを備えるレンズ駆動装置の検査時に、前記レンズホルダに代えて前記可動体に搭載されて使用される検査用治具であって、
前記可動体に形成される搭載面に搭載される被搭載面と、前記検査用治具の被写体側の端面である被写体側端面とを備え、
前記被写体側端面は、光を反射する光反射性を有し、
前記被写体側端面には、前記レンズ駆動装置の検査時に光が照射されることを特徴とする検査用治具。
【請求項２】
前記可動体の内周側に挿入される本体部と、前記本体部の前記被写体側の端部に繋がる端面部とを備え、
前記端面部には、前記可動体の径方向の外側へ広がる被搭載部が形成され、
前記被搭載面は、前記被搭載部の反被写体側の端面であり、
前記搭載面は、前記可動体の前記被写体側に形成されていることを特徴とする請求項１記載の検査用治具。
【請求項３】
前記固定体は、前記レンズ駆動装置の前記被写体側の端面を構成する端面部材を備え、
前記端面部材には、前記レンズの光軸を中心とする開口部が形成され、
前記本体部の外周面と前記可動体の内周面との距離は、前記端面部の外周端と前記開口部の縁との最小距離よりも小さくなっていることを特徴とする請求項２記載の検査用治具。
【請求項４】
前記端面部に取り付けられる鏡を備え、
前記鏡の光反射面は、前記被写体側端面の一部を構成しており、
前記レンズ駆動装置の検査時に、前記鏡の前記光反射面に光が照射されることを特徴とする請求項２または３記載の検査用治具。
【請求項５】
前記鏡は、前記検査用治具の軸中心からずれた位置に取り付けられていることを特徴とする請求項４記載の検査用治具。
【請求項６】
前記検査用治具の重量は、前記レンズホルダの重量と略等しいことを特徴とする請求項１から５のいずれかに記載の検査用治具。
【請求項７】
非磁性材料で形成されていることを特徴とする請求項１から６のいずれかに記載の検査用治具。
【請求項８】
請求項１から７のいずれかに記載の検査用治具を前記レンズホルダに代えて前記可動体に搭載して、前記固定体に対する前記可動体の移動量を測定することを特徴とするレンズ駆動装置の検査方法。
【請求項９】
請求項１から７のいずれかに記載の検査用治具を前記レンズホルダに代えて前記可動体に搭載して、前記固定体の軸に対する前記可動体の軸の傾きを測定することを特徴とするレンズ駆動装置の検査方法。
【請求項１０】
前記固定体には、前記光軸方向における前記可動体の基準位置を決めるための基準面が形成され、
前記可動体には、前記基準面に当接する当接面が形成され、
前記基準面に前記当接面が当接して前記可動体が前記基準位置にある状態で、前記検査用治具を前記可動体に搭載することを特徴とする請求項８または９記載のレンズ駆動装置の検査方法。
【発明の詳細な説明】
【技術分野】
【０００１】
本発明は、携帯電話等で使用される比較的小型のカメラに搭載されるレンズ駆動装置の検査時に使用される検査用治具、および、この検査用治具を用いたレンズ駆動装置の検査方法に関する。
【背景技術】
【０００２】
従来、携帯電話等に搭載されるカメラの撮影用レンズを駆動するレンズ駆動装置が知られている（たとえば、特許文献１参照）。特許文献１に記載のレンズ駆動装置は、レンズを内周側で保持するレンズホルダと、レンズホルダを内周側で保持するスリーブと、スリーブを光軸方向へ移動可能に支持する固定体とを備えている。レンズホルダの外周面には、オネジが形成され、スリーブの内周面には、レンズホルダの外周面に形成されるオネジに螺合するメネジが形成されている。このレンズ駆動装置では、スリーブの内周側にレンズホルダをねじ込むことで、スリーブにレンズホルダが仮固定される。また、レンズホルダの外周面とスリーブの内周面との間に接着剤を塗布して硬化させることで、スリーブにレンズホルダが確実に固定される。
【先行技術文献】
【特許文献】
【０００３】
【特許文献１】特開２００７−２９２８２１号公報
【発明の概要】
【発明が解決しようとする課題】
【０００４】
レンズ駆動装置を製品として出荷する前には、固定体の軸（光軸方向の軸）に対するスリーブの軸（光軸方向の軸）の傾き（チルト）や固定体に対するスリーブの移動量等の特性検査を行う必要がある。また、レンズ駆動装置を製品として出荷する形態には、一般に、レンズ駆動装置の製造メーカーがレンズホルダを組み込んでからレンズ駆動装置を出荷する形態と、レンズ駆動装置の製造メーカーがレンズホルダを組み込まずにレンズ駆動装置を出荷する形態とがある。レンズホルダが組み込まれていない状態でレンズ駆動装置が出荷される場合には、出荷先の完成品メーカー等でレンズ駆動装置にレンズホルダが組み込まれる。
【０００５】
レンズホルダが組み込まれていない状態でレンズ駆動装置が出荷される場合、製造メーカーでは、レンズホルダに代えて検査用治具をスリーブに取り付けて、チルト等の特性検査を行う必要があり、検査後には、スリーブから検査用治具を取り外す必要がある。ここで、特性検査で使用される検査用治具が、その外周面にオネジが形成されたものであって、スリーブの内周側にねじ込むことでスリーブに取り付けられるものである場合、検査用治具の着脱の際に、スリーブの内周面に形成されるメネジが損傷するおそれがある。
【０００６】
そこで、本発明の課題は、レンズホルダが取り付けられる可動体の内周面を損傷させることなく、レンズ駆動装置の可動体に着脱することが可能な検査用治具を提供することにある。また、本発明の課題は、かかる検査用治具を用いたレンズ駆動装置の検査方法を提供することにある。
【課題を解決するための手段】
【０００７】
上記の課題を解決するため、本発明の検査用治具は、レンズを保持するレンズホルダが取り付けられる内周面を有する略筒状に形成されレンズの光軸方向へ移動可能な可動体と、可動体を光軸方向へ移動可能に保持する固定体と、可動体を光軸方向へ駆動する駆動機構とを備えるレンズ駆動装置の検査時に、レンズホルダに代えて可動体に搭載されて使用される検査用治具であって、可動体に形成される搭載面に搭載される被搭載面と、検査用治具の被写体側の端面である被写体側端面とを備え、被写体側端面は、光を反射する光反射性を有し、被写体側端面には、レンズ駆動装置の検査時に光が照射されることを特徴とする。
【０００８】
本発明の検査用治具には、可動体に形成される搭載面に搭載される被搭載面が形成されている。そのため、搭載面に被搭載面を搭載すれば、検査用治具を可動体に取り付けることが可能になり、かつ、検査用治具を持ち上げれば、検査用治具を可動体から取り外すことが可能になる。したがって、本発明では、可動体の内周面を損傷させることなく、可動体に検査用治具を着脱することが可能になる。また、本発明では、搭載面に被搭載面を搭載すれば、検査用治具を可動体に取り付けることが可能になり、かつ、検査用治具を持ち上げれば、検査用治具を可動体から取り外すことが可能になるため、可動体に対する検査用治具の着脱時間を短縮することが可能になり、その結果、検査時間を短縮することが可能になる。
【０００９】
本発明において、検査用治具は、可動体の内周側に挿入される本体部と、本体部の被写体側の端部に繋がる端面部とを備え、端面部には、可動体の径方向の外側へ広がる被搭載部が形成され、被搭載面は、被搭載部の反被写体側の端面であり、搭載面は、可動体の被写体側に形成されていることが好ましい。このように構成すると、本体部を利用して、可動体に対する検査用治具の、レンズ駆動装置の径方向におけるがたつきを抑制することが可能になる。また、このように構成すると、可動体の被写体側の端面をそのまま搭載面として利用することが可能になるため、可動体の反被写体側に搭載面が形成されている場合と比較して、可動体の構成を簡素化することが可能になる。
【００１０】
本発明において、固定体は、レンズ駆動装置の被写体側の端面を構成する端面部材を備え、端面部材には、レンズの光軸を中心とする開口部が形成され、本体部の外周面と可動体の内周面との距離は、端面部の外周端と開口部の縁との最小距離よりも小さくなっていることが好ましい。このように構成すると、端面部の外周端と開口部の縁とが干渉するのを防止することが可能になる。したがって、検査用治具が傾かないように可動体の搭載面に検査用治具を搭載することが可能になり、その結果、適切な検査を行うことが可能になる。
【００１１】
本発明において、検査用治具は、たとえば、端面部に取り付けられる鏡を備え、鏡の光反射面は、被写体側端面の一部を構成しており、レンズ駆動装置の検査時に、鏡の光反射面に光が照射される。この場合には、被写体側端面で反射される反射光の光量を増やすことが可能になる。したがって、被写体側端面での反射光の光量が要求される検査を適切に行うことが可能になる。
【００１２】
本発明において、鏡は、検査用治具の軸中心からずれた位置に取り付けられていることが好ましい。このように構成すると、可動体に検査用治具を搭載するときに、鏡を目印にして、可動体に対する検査用治具の取付方向を一定にすることが可能になる。たとえば、一定方向を向くようにレンズ駆動装置を配置するとともに、作業者の手前側に鏡が配置されるように検査用治具を可動体に取り付けることで、可動体に対する検査用治具の取付方向を一定にすることが可能になる。したがって、検査用治具の取付方向に起因する測定結果のばらつきを抑制することが可能になり、その結果、検査の精度を高めることが可能になる。
【００１３】
本発明において、検査用治具の重量は、レンズホルダの重量と略等しいことが好ましい。このように構成すると、レンズホルダが搭載されている状態とほぼ同じ条件で、レンズ駆動装置の検査を行うことが可能になる。すなわち、完成状態のレンズ駆動装置とほぼ同条件で、レンズ駆動装置の検査を行うことが可能になる。
【００１４】
本発明において、検査用治具は、非磁性材料で形成されていることが好ましい。このように構成すると、可動体を駆動する駆動機構が、たとえば、駆動用コイルと駆動用磁石とによって構成されている場合、レンズ駆動装置の検査時に、検査用治具が駆動機構の磁気回路に磁気的な影響を与えることがない。したがって、レンズ駆動装置の適切な検査を行うことが可能になる。
【００１５】
また、上記の課題を解決するため、本発明のレンズ駆動装置の検査方法では、上述の検査用治具をレンズホルダに代えて可動体に搭載して、固定体に対する可動体の移動量を測定する。また、本発明のレンズ駆動装置の検査方法では、上述の検査用治具をレンズホルダに代えて可動体に搭載して、固定体の軸に対する可動体の軸の傾きを測定する。本発明のレンズ駆動装置の検査方法では、可動体の内周面を損傷させることなく、可動体に検査用治具を着脱することが可能になる。また、本発明のレンズ駆動装置の検査方法では、可動体に対する検査用治具の着脱時間を短縮することが可能になり、その結果、検査時間を短縮することが可能になる。
【００１６】
本発明において、固定体には、光軸方向における可動体の基準位置を決めるための基準面が形成され、可動体には、基準面に当接する当接面が形成され、基準面に当接面が当接して可動体が基準位置にある状態で、検査用治具を可動体に搭載することが好ましい。このように構成すると、可動体に検査用治具を取り付ける際に、可動体が傾きにくくなる。したがって、たとえば、可動体に検査用治具を取り付ける際の、可動体と固定体とを繋ぐ板バネの損傷等を防止することが可能になる。
【発明の効果】
【００１７】
以上のように、本発明の検査用治具を用いれば、レンズホルダが取り付けられる可動体の内周面を損傷させることなく、レンズ駆動装置の可動体に検査用治具を着脱することが可能になる。また、本発明のレンズ駆動装置の検査方法では、レンズホルダが取り付けられる可動体の内周面を損傷させることなく、レンズ駆動装置の可動体に検査用治具を着脱することが可能になる。
【図面の簡単な説明】
【００１８】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示すスリーブの斜視図である。
【図５】図４に示すスリーブの断面図である。
【図６】図１に示すレンズ駆動装置の平面図である。
【図７】図１に示すレンズ駆動装置の特性検査に使用される検査用治具の斜視図である。
【図８】図１に示すレンズ駆動装置に検査用治具を取り付ける前のレンズ駆動装置および検査用治具の断面図である。
【図９】図１に示すレンズ駆動装置に検査用治具が取り付けられた状態を説明するための断面図である。
【図１０】図１に示すレンズ駆動装置に検査用治具が取り付けられる前のレンズ駆動装置の平面図である。
【図１１】図１に示すレンズ駆動装置に検査用治具が取り付けられたときのレンズ駆動装置および検査用治具の平面図である。
【発明を実施するための形態】
【００１９】
以下、図面を参照しながら、本発明の実施の形態を説明する。
【００２０】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。なお、以下の説明では、図１等に示すように、互いに直交する３方向のそれぞれをＸ方向、Ｙ方向およびＺ方向とする。また、Ｘ方向を左右方向、Ｙ方向を前後方向、Ｚ方向を上下方向とする。また、Ｚ１方向側を「上」側、Ｚ２方向側を「下」側とする。
【００２１】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２２】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２３】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、図２、図３に示すように、可動体２と固定体３とを繋ぐ板バネ５、６を備えている。すなわち、可動体２は、板バネ５、６を介して固定体３に移動可能に保持されている。本形態では、１個の板バネ５が可動体２の上端側に配置され、２個の板バネ６が可動体２の下端側に配置されている。
【００２４】
可動体２は、複数のレンズが固定されたレンズホルダ７を保持するスリーブ８を備えている。固定体３は、レンズ駆動装置１の側面の上端側部分を構成するカバー部材１０と、レンズ駆動装置１の側面の下端側部分およびレンズ駆動装置１の下端面を構成するベース部材１１と、板バネ５の一部が固定されるスペーサ１２とを備えている。ベース部材１１には、駆動機構４を構成する後述の駆動用コイル１５に電流を供給するための一対の給電端子１３が固定されている。
【００２５】
レンズホルダ７は、略円筒状に形成されている。このレンズホルダ７は、その内周側で、上下方向から見たときの形状が略円形状となる複数のレンズを保持している。すなわち、レンズホルダ７の内周面には、複数のレンズが固定されている。レンズホルダ７の外周面には、オネジが形成されている。
【００２６】
スリーブ８は、樹脂材料で形成されている。また、スリーブ８は、略筒状に形成されている。具体的には、スリーブ８は、上下方向から見たときの内周面の形状が略円形状となるとともに、上下方向から見たときの外周面の上端側の形状が略円形状となり、かつ、上下方向から見たときの外周面の下端側の形状が略四角形状となる略筒状に形成されている。スリーブ８の下端には、ベース部材１１に形成される後述の基準面１１ｂに当接する当接面８ａ（図２参照）が光軸方向と略直交するように形成されている。具体的には、前後方向および左右方向におけるスリーブ８の下端の略中心位置に、かつ、略９０°ピッチで、４個の当接面８ａが形成されている。スリーブ８のより具体的な構成については後述する。
【００２７】
カバー部材１０は、磁性材料で形成されている。また、カバー部材１０は、底部１０ａと筒部１０ｂとを有する底付きの略四角筒状に形成されている。底部１０ａは、上側に配置されており、レンズ駆動装置１の上端面（すなわち、被写体側の端面）を構成している。底部１０ａの中心には、底部１０ａを貫通する開口部１０ｃが形成されている。開口部１０ｃは、光軸Ｌを中心とする略円形状に形成されている。開口部１０ｃの縁には、レンズ駆動装置１の四隅に向かって切り欠かれた４個の切欠き部１０ｄが形成されている。本形態の底部１０ａは、レンズ駆動装置１の被写体側の端面を構成する端面部材である。
【００２８】
ベース部材１１は、絶縁性を有する樹脂材料で形成されている。また、ベース部材１１は、光軸方向から見たときの形状が略正方形となるブロック状に形成されている。このベース部材１１は、カバー部材１０の下端側に取り付けられている。ベース部材１１の中心には、貫通孔１１ａが形成されている。また、ベース部材１１の上面には、光軸方向における可動体２の基準位置を決めるための基準面１１ｂが光軸方向と略直交するように形成されている。具体的には、前後方向および左右方向におけるベース部材１１の上面の略中心位置に、かつ、略９０°ピッチで、４個の基準面１１ｂが形成されている。
【００２９】
スペーサ１２は、たとえば、樹脂材料で形成されるとともに、略正方形の扁平なブロック状に形成されている。また、スペーサ１２は、枠状に形成されており、その中心には、貫通孔が形成されている。このスペーサ１２は、カバー部材１０の底部１０ａの下面に固定されている。
【００３０】
板バネ５は、図３に示すように、スリーブ８の上端側に固定される円環状の可動体固定部５ａと、スペーサ１２に固定される４個の固定体固定部５ｂと、可動体固定部５ａと固定体固定部５ｂとを繋ぐ４本の腕部５ｃとを備えている。この板バネ５は、その厚さ方向と上下方向とが略一致するように、スリーブ８およびスペーサ１２に固定されている。本形態では、駆動機構４を構成する後述の駆動用コイル１５に電流が供給されていないときに、スリーブ８の当接面８ａとベース部材１１の基準面１１ｂとが当接して可動体２が所定の基準位置に配置されるように、板バネ５は、撓んだ状態でスリーブ８およびスペーサ１２に固定されている。具体的には、可動体固定部５ａよりも固定体固定部５ｂが下側に配置されるように、板バネ５は、撓んだ状態でスリーブ８およびスペーサ１２に固定されている。
【００３１】
板バネ６は、スリーブ８の下端側に固定される可動体固定部と、ベース部材１１に固定される２個の固定体固定部と、可動体固定部と固定体固定部とを繋ぐ２本の腕部とを備えている。板バネ６は、その厚さ方向と上下方向とが略一致するように、スリーブ８およびベース部材１１に固定されている。また、板バネ６は、スリーブ８の当接面８ａとベース部材１１の基準面１１ｂとが当接しているときに板バネ６による付勢力が可動体２に生じないように、スリーブ８およびベース部材１１に固定されている。
【００３２】
給電端子１３は、平板状の金属材料が折り曲げられることで形成されている。この給電端子１３は、ベース部材１１に固定されている。また、給電端子１３には、板バネ６の一部が半田付け等されて固定されている。
【００３３】
駆動機構４は、スリーブ８の外周側に巻回される２個の駆動用コイル１５と、レンズ駆動装置１の４つの側面のそれぞれに沿って配置される駆動用磁石１７とを備えている。２個の駆動用コイル１５は、上下方向に所定の間隔をあけた状態で、スリーブ８の外周面に巻回されている。駆動用磁石１７は、略矩形の板状に形成されている。また、駆動用磁石１７は、駆動用コイル１５の外周面に対向するようにカバー部材１０の筒部１０ｂの前後左右の内側面に固定されている。なお、本形態のカバー部材１０は、磁気回路を形成するためのヨークの機能を果たしている。
【００３４】
（スリーブの構成）
図４は、図３に示すスリーブ８の斜視図である。図５は、図４に示すスリーブ８の断面図である。図６は、図１に示すレンズ駆動装置１の平面図である。
【００３５】
スリーブ８は、上述のように、上下方向から見たときの内周面の形状が略円形状となるとともに、上下方向から見たときの外周面の上端側の形状が略円形状となり、かつ、上下方向から見たときの外周面の下端側の形状が略四角形状となる略筒状に形成されている。スリーブ８の内周面には、レンズホルダ７の外周面に形成されるオネジに螺合するメネジ８ｂが形成されている。本形態では、レンズホルダ７がスリーブ８の内周側にねじ込まれることで、レンズホルダ７がスリーブ８に仮固定される。また、その後、レンズホルダ７の外周面とスリーブ８の内周面との間に接着剤を塗布して硬化させることで、スリーブ８にレンズホルダ７が確実に固定される。すなわち、スリーブ８の内周面にレンズホルダ７が取り付けられる。
【００３６】
スリーブ８の上端側には、上側へ突出する複数の凸部８ｃが形成されている。本形態では、略９０°の等角度ピッチで、４個の凸部８ｃが形成されている。また、４個の凸部８ｃは、レンズ駆動装置１の四隅に対応する位置に形成されている。凸部８ｃは、上下方向から見たときの形状が光軸Ｌを中心とする略円弧状となるように形成されている。凸部８ｃの内周面は、スリーブ８の内周面の上端側の一部を構成している。
【００３７】
凸部８ｃの上端側には、さらに上側へ突出する突起部８ｄが形成されている。突起部８ｄは、レンズホルダ７に固定されるレンズの周方向における凸部８ｃの中心に形成されている。また、突起部８ｄは、上下方向から見たときの形状が光軸Ｌを中心とする略円弧状、または、略長方形状となるように形成されている。レンズの径方向における凸部８ｃの幅と突起部８ｄの幅とは略等しくなっている。
【００３８】
凸部８ｃの上端面（すなわち、突起部８ｄの上端面、および、突起部８ｄの上端面を除いた凸部８ｃの上端面）は、上下方向に略直交するように形成されている。突起部８ｄの上端面は、後述の検査用治具２５が搭載される搭載面８ｅとなっており、本形態では、４個の搭載面８ｅがスリーブ８の上端面（具体的には、凸部８ｃの上端面）に形成されている。一方、突起部８ｄの上端面を除いた凸部８ｃの上端面は、カバー部材１０の底部１０ａの下面に当接して固定体３に対する可動体２の上側への移動量を規制する規制面８ｆとなっており、本形態では、８個の規制面８ｆがスリーブ８の上端面（具体的には、凸部８ｃの上端面）に形成されている。
【００３９】
本形態では、固定体３に対する可動体２の上側への移動量を精度良く設定するため、当接面８ａから規制面８ｆまでの寸法精度が高くなっている。具体的には、当接面８ａから規制面８ｆまでの寸法精度は、当接面８ａから搭載面８ｅまでの寸法精度よりも高くなっている。一方、４個の搭載面８ｅに搭載される後述の検査用治具２５が傾いていたのでは、後述のチルトの測定を適切に行うことができないため、４個の搭載面８ｅの平面度は高くなっている。具体的には、４個の搭載面８ｅの平面度は、８個の規制面８ｆの平面度よりも高くなっている。
【００４０】
図６に示すように、４個の搭載面８ｅは、レンズ駆動装置１の四隅に対応するようにスリーブ８の上端面に形成されている。具体的には、レンズの周方向において、カバー部材１０に形成される切欠き部１０ｄの中心と搭載面８ｅの中心とが一致するように、搭載面８ｅが形成されている。レンズの周方向における切欠き部１０ｄの幅は、この方向における搭載面８ｅの幅よりも広くなっている。また、スリーブ８の上端側の内径は、開口部１０ｃの内径よりもわずかに小さくなっており、上側から見たときに、搭載面８ｅは、切欠き部１０ｄにおいて、レンズ駆動装置１の上面側で外部に露出している。一方、レンズの周方向における切欠き部１０ｄの幅は、この方向における凸部８ｃの幅よりも狭くなっており、レンズの周方向における切欠き部１０ｄの両側において、規制面８ｆは、底部１０ａの下面に当接可能となっている。
【００４１】
スリーブ８の上端側であって、かつ、凸部８ｃよりも外周側には、板バネ５の可動体固定部５ａが接着によって固定される略円環状のバネ固定面８ｇが形成されている。バネ固定面８ｇは、凸部８ｃよりも下側に形成されており、規制面８ｆよりも下側に配置されている。上述のように、駆動用コイル１５に電流が供給されていないときに、スリーブ８の当接面８ａとベース部材１１の基準面１１ｂとが当接して可動体２が所定の基準位置に配置されるように、板バネ５は、撓んだ状態でスリーブ８およびスペーサ１２に固定されている。
【００４２】
また、本形態では、駆動用コイル１５に電流が供給されていないときの板バネ５の付勢力を調整するための円環状のスペーサ１９（図３参照）がバネ固定面８ｇと可動体固定部５ａとの間に配置されている。すなわち、バネ固定面８ｇには、スペーサ１９および可動体固定部５ａが下からこの順番で接着固定されている。また、スペーサ１９および可動体固定部５ａは、凸部８ｃの外周側に塗布される接着剤によってバネ固定面８ｇに接着固定されている。バネ固定面８ｇに接着固定された可動体固定部５ａの上面は、規制面８ｆよりも下側に配置されている。
【００４３】
なお、スリーブ８の上端側には、レンズ駆動装置１の組立時に目印として利用する１個の凹部８ｈが形成されている（図４参照）。凹部８ｈは、下側に向かって窪むように形成されている。また、凹部８ｈは、レンズの周方向における凸部８ｃ間の１箇所に形成されている。
【００４４】
（検査用治具の構成）
図７は、図１に示すレンズ駆動装置１の特性検査に使用される検査用治具２５の斜視図である。図８は、図１に示すレンズ駆動装置１に検査用治具２５を取り付ける前のレンズ駆動装置１および検査用治具２５の断面図である。なお、図８に示す検査用治具２５の断面図は、図７のＦ−Ｆ断面の断面図である。
【００４５】
本形態のレンズ駆動装置１は、レンズホルダ７が組み込まれていない状態で製品として出荷される。一方、レンズ駆動装置１を製品として出荷する前には、固定体３の軸（上下方向の軸）に対する可動体２の軸（上下方向の軸）の傾き（チルト）や固定体３に対する可動体２の移動量等の特性検査を行う必要がある。そのため、本形態では、レンズホルダ７に代えて検査用治具２５を可動体２（具体的には、スリーブ８）に取り付けて、チルト等の特性検査を行う。
【００４６】
検査用治具２５は、治具本体２６と、治具本体２６に取り付けられる鏡２７とを備えている。治具本体２６は、スリーブ８の内周側に挿入される本体部２６ａと、本体部２６ａの上端に繋がる端面部としての上面部２６ｂとを備えており、全体として略円柱状に形成されている。また、治具本体２６は、非磁性材料によって形成されている。本形態の治具本体２６は、アルミニウム合金によって形成されている。なお、治具本体２６は、非磁性の樹脂材料で形成されても良いし、アルミニウム合金以外の非磁性の金属材料で形成されても良い。
【００４７】
本体部２６ａは、略円柱状に形成されている。本体部２６ａの上端側の外周面には、径方向の内側に向かって窪む円環状の凹部２６ｃが形成されている。凹部２６ｃは、図８に示すように、その断面形状が矩形状になるように形成されている。凹部２６ｃの上側面２６ｄは、上面部２６ｂの下面となっている。凹部２６ｃを除く本体部２６ａの外径は、スリーブ８の内径よりもわずかに小さくなっている。本体部２６ａの外周側の下端は、スリーブ８へ検査用治具２５を挿入する際の治具本体２６の引っ掛かりを防止するため、曲面状に形成されている。
【００４８】
上面部２６ｂは、略円板状に形成されている。上面部２６ｂには、スリーブ８の搭載面８ｅに搭載される複数の被搭載部２６ｅが上面部２６ｂの径方向の外側へ突出するように形成されている。本形態では、４個の被搭載部２６ｅが９０°ピッチで上面部２６ｂに形成されている。被搭載部２６ｅの下面は、搭載面８ｅに搭載される被搭載面となっている。この被搭載面は、上面部２６ｂの下面（すなわち、凹部２６ｃの上側面２６ｄ）と同一平面上に形成されている。被搭載部２６ｅを除く上面部２６ｂの外径は、本体部２６ａの外径と略等しくなっている。また、スリーブ８に検査用治具２５が取り付けられると、上面部２６ｂは、スリーブ８の上側に配置される。
【００４９】
本形態では、凹部２６ｃを除く本体部２６ａの外周面とスリーブ８の内周面との距離は、カバー部材１０の開口部１０ｃの縁と上面部２６ｂの外周端との最小距離よりも小さくなっている。具体的には、凹部２６ｃを除く本体部２６ａの外周面とスリーブ８の内周面との距離は、被搭載部２６ｅの外周端と切欠き部１０ｄの径方向外側端の縁との距離Ｄ（図１１参照）よりも小さくなっている。すなわち、凹部２６ｃを除く本体部２６ａの外径をｄ１、スリーブ８の内径をｄ２とすると、Ｄ＞（ｄ２−ｄ１）／２となっている。
【００５０】
本体部２６ａの下端側の内部には、図８に示すように、略円柱状の空間である肉抜き部２６ｆが形成されている。肉抜き部２６ｆは、本体部２６ａの下面から上側に向かって窪むように形成されている。本形態の肉抜き部２６ｆは、検査用治具２５の重量を調整する機能を果たしており、本体部２６ａに肉抜き部２６ｆを設けることで、検査用治具２５の重量は、レンズホルダ７の重量と略等しくなっている。
【００５１】
本体部２６ａの上端側および上面部２６ｂの内部には、図８に示すように、鏡２７を固定するための固定孔２６ｇが形成されている。固定孔２６ｇは、治具本体２６の軸中心（すなわち、検査用治具２５の軸中心）からずれた位置に形成されており、鏡２７は、治具本体２６の軸中心からずれた位置に取り付けられている。すなわち、上下方向から見たときに、鏡２７の中心と治具本体２６の軸中心とがずれている。また、固定孔２６ｇは、上面部２６ｂの上面２６ｈと肉抜き部２６ｆとの間を貫通するように形成されている。
【００５２】
鏡２７は、略円板状に形成されている。また、鏡２７は、ガラスや樹脂等の非磁性材料によって形成されている。鏡２７の外径は、上面部２６ｂの外径の１／２〜１／３程度となっている。この鏡２７は、固定孔２６ｇの上端側に固定されている。光を反射する鏡２７の光反射面２７ａは、上面部２６ｂの上面２６ｈと略同一平面上に配置されている。本形態では、上面部２６ｂの上面２６ｈと鏡２７の光反射面２７ａとによって、検査用治具２５の被写体側の端面である被写体側端面が構成されている。この被写体側端面の一部が鏡２７の光反射面２７ａであるため、被写体側端面は、光を反射する光反射性を備えている。また、本形態では、被搭載部２６ｅの下面である被搭載面とこの被写体側端面との平行度が高くなっている。なお、鏡２７の光反射面２７ａは、上面部２６ｂの上面２６ｈよりも上側に配置されても良いし、下側に配置されても良い。
【００５３】
（レンズ駆動装置の検査方法）
図９は、図１に示すレンズ駆動装置１に検査用治具２５が取り付けられた状態を説明するための断面図である。図１０は、図１に示すレンズ駆動装置１に検査用治具２５が取り付けられる前のレンズ駆動装置１の平面図である。図１１は、図１に示すレンズ駆動装置１に検査用治具２５が取り付けられたときのレンズ駆動装置１および検査用治具２５の平面図である。
【００５４】
レンズ駆動装置１の出荷前にチルト等の特性検査を行う際には、まず、レンズホルダ７が取り付けられていない状態のレンズ駆動装置１のスリーブ８に、レンズホルダ７に代えて、検査用治具２５を搭載する。具体的には、図９に示すように、治具本体２６の本体部２６ａをレンズ駆動装置１の上側からスリーブ８の内周側へ挿入する。本体部２６ａが挿入されていくと、被搭載部２６ｅの下面である被搭載面がスリーブ８の搭載面８ｅに搭載される。すなわち、本形態では、チルト等の特性検査を行う際に、搭載面８ｅに検査用治具２５を搭載することで、検査用治具２５をスリーブ８に取り付ける。検査用治具２５のスリーブ８への搭載は、図８、図９に示すように、スリーブ８の当接面８ａとベース部材１１の基準面１１ｂとが当接して可動体２が所定の基準位置にある状態で行われる。
【００５５】
その後、たとえば、駆動用コイル１５に電流を供給して、可動体２を上下方向へ動かして、固定体３に対する可動体２の移動量を測定する。固定体３に対する可動体２の移動量の測定には、たとえば、半導体レーザと受光素子とを有するレーザ変位計が用いられる。検査用治具２５が搭載されたレンズ駆動装置１は、半導体レーザから射出されたレーザ光が鏡２７で反射される（すなわち、半導体レーザから鏡２７の光反射面２７ａにレーザ光が照射される）とともに鏡２７で反射されたレーザ光が受光素子に入射するようにレーザ変位計に設置される。可動体２の移動量は、鏡２７で反射されて受光素子に入射するレーザ光の光量の変化に基づいて測定される。
【００５６】
また、たとえば、当接面８ａと基準面１１ｂとが当接しているときの固定体３の軸に対する可動体２の軸の傾き（初期チルト）や、可動体２が上下方向へ動いたときの固定体３の軸に対する可動体２の軸の傾き（動作チルト）を測定する。チルトの測定には、たとえば、半導体レーザと受光素子とを有するオートコリメータが用いられる。検査用治具２５が搭載されたレンズ駆動装置１は、半導体レーザから射出されたレーザ光が鏡２７で反射される（すなわち、半導体レーザから鏡２７の光反射面２７ａにレーザ光が照射される）とともに鏡２７で反射されたレーザ光が受光素子に入射するようにオートコリメータに設置される。初期チルトや動作チルトは、鏡２７で反射されて受光素子に入射するレーザ光の入射位置に基づいて測定される。
【００５７】
（本形態の主な効果）
以上説明したように、本形態では、検査用治具２５の上面部２６ｂに被搭載部２６ｅが形成され、被搭載部２６ｅの下面は、スリーブ８の搭載面８ｅに搭載される被搭載面となっている。また、本形態では、凹部２６ｃを除く本体部２６ａの外径は、スリーブ８の内径よりもわずかに小さくなっている。そのため、治具本体２６の本体部２６ａをレンズ駆動装置１の上側からスリーブ８の内周側へ挿入して、被搭載部２６ｅの下面を搭載面８ｅに搭載すれば、検査用治具２５を可動体２に取り付けることができ、かつ、検査用治具２５を持ち上げれば、検査用治具２５を可動体２から取り外すことができる。したがって、本形態では、スリーブ８の内周面を損傷させることなく、可動体２に検査用治具２５を着脱することが可能になる。
【００５８】
また、本体部２６ａをレンズ駆動装置１の上側からスリーブ８の内周側へ挿入して、被搭載部２６ｅの下面を搭載面８ｅに搭載すれば、検査用治具２５を可動体２に取り付けることができ、かつ、検査用治具２５を持ち上げれば、検査用治具２５を可動体２から取り外すことができるため、可動体２に対する検査用治具２５の着脱時間を短縮することが可能になり、その結果、本形態では、検査時間を短縮することが可能になる。また、本体部２６ａをレンズ駆動装置１の上側からスリーブ８の内周側へ挿入して、被搭載部２６ｅの下面を搭載面８ｅに搭載すれば、検査用治具２５を可動体２に取り付けることができ、かつ、検査用治具２５を持ち上げれば、検査用治具２５を可動体２から取り外すことができるため、本形態では、検査用治具２５を可動体２に着脱する際の塵埃の発生を抑制することができる。
【００５９】
本形態では、検査用治具２５は、スリーブ８の内周側に挿入される本体部２６ａを備えている。そのため、本体部２６ａを利用して、可動体２に対する検査用治具２５の前後左右方向のがたつきを抑制することが可能になる。また、本形態では、凹部２６ｃを除く本体部２６ａの外周面とスリーブ８の内周面との距離は、被搭載部２６ｅの外周端と切欠き部１０ｄの径方向外側端の縁との距離Ｄよりも小さくなっているため、検査用治具２５をスリーブ８に搭載する際に、被搭載部２６ｅの外周端と切欠き部１０ｄの径方向外側端の縁とが干渉するのを防止することが可能になる。したがって、本形態では、検査用治具２５が傾かないようにスリーブ８の搭載面８ｅに検査用治具２５を搭載することが可能になり、その結果、適切な検査を行うことが可能になる。
【００６０】
本形態では、上面部２６ｂの上面２６ｈと鏡２７の光反射面２７ａとによって、検査用治具２５の上端面が構成されており、レンズ駆動装置１の検査時に、光反射面２７ａに光が照射される。そのため、検査用治具２５の上面（被写体側端面）で反射される反射光の光量を増やすことができる。一般に、オートコリメータの受光素子に入射する光量がある程度確保されていないと、チルトの適切な測定は困難であるが、本形態では、検査用治具２５の上面で反射される反射光の光量を増やすことができるため、オートコリメータによって、チルトを適切に測定することが可能になる。
【００６１】
本形態では、鏡２７は、検査用治具２５の軸中心からずれた位置に取り付けられている。そのため、可動体２に検査用治具２５を搭載するときには、鏡２７を目印にして、可動体２に対する検査用治具２５の取付方向を一定にすることが可能になる。たとえば、一定方向を向くようにレンズ駆動装置１を配置するとともに、作業者の手前側に鏡２７が配置されるように検査用治具２５を可動体２に取り付けることで、可動体２に対する検査用治具２５の取付方向を一定にすることが可能になる。したがって、本形態では、検査用治具２５の取付方向に起因する測定結果のばらつきを抑制することが可能になり、その結果、検査の精度を高めることが可能になる。
【００６２】
本形態では、検査用治具２５の重量は、レンズホルダ７の重量と略等しくなっている。そのため、本形態では、レンズホルダ７が搭載されている状態とほぼ同じ条件で、レンズ駆動装置１の検査を行うことが可能になる。すなわち、本形態では、完成状態のレンズ駆動装置１とほぼ同条件で、レンズ駆動装置１の検査を行うことが可能になる。
【００６３】
本形態では、検査用治具２５は、非磁性材料によって形成されている。そのため、レンズ駆動装置１の検査時に、駆動用コイル１５および駆動用磁石１７等によって構成される駆動機構４の磁気回路に対して、検査用治具２５が磁気的な影響を与えることがない。したがって、本形態では、レンズ駆動装置１の適切な検査を行うことが可能になる。
【００６４】
本形態では、検査用治具２５のスリーブ８への搭載は、スリーブ８の当接面８ａとベース部材１１の基準面１１ｂとが当接して可動体２が所定の基準位置にある状態で行われている。そのため、スリーブ８に検査用治具２５を搭載する際にスリーブ８が傾きにくくなる。したがって、本形態では、可動体２に検査用治具２５を取り付ける際の板バネ５、６の損傷等を防止することが可能になる。
【００６５】
（他の実施の形態）
上述した形態は、本発明の好適な形態の一例ではあるが、これに限定されるものではなく本発明の要旨を変更しない範囲において種々変形実施が可能である。
【００６６】
上述した形態では、検査用治具２５は、鏡２７を備えているが、検査用治具２５は、鏡２７を備えていなくても良い。この場合には、レーザ変位計やオートコリメータから射出されるレーザ光が上面部２６ｂの上面２６ｈで反射されるように、たとえば、上面部２６ｂの上面２６ｈが鏡面状に形成される。また、上述した形態では、鏡２７は、検査用治具２５の軸中心からずれた位置に取り付けられているが、上下方向から見たときに、鏡２７の中心と検査用治具２５の軸中心とが一致するように鏡２７が取り付けられても良い。
【００６７】
上述した形態では、スリーブ８の内周面に、レンズホルダ７の外周面に形成されるオネジに螺合するメネジ８ｂが形成されており、レンズホルダ７は、スリーブ８の内周側にねじ込まれている。この他にもたとえば、スリーブ８の内周面にメネジ８ｂが形成されなくても良い。この場合には、たとえば、圧入や接着によって、スリーブ８の内周側にレンズホルダ７が固定される。なお、圧入や接着によってスリーブ８の内周側にレンズホルダ７が固定される場合であっても、本形態の検査用治具２５を用いてレンズ駆動装置１の検査を行えば、スリーブ８の内周面を損傷させることなく、可動体２に検査用治具２５を着脱することが可能になる。
【００６８】
上述した形態では、検査用治具２５の重量は、レンズホルダ７の重量と略等しくなっているが、検査用治具２５の重量は、レンズホルダ７の重量より軽くても良い。この場合には、レンズ駆動装置１の検査時に板バネ５、６に必要以上の負荷がかからなくなる。なお、検査用治具２５の重量は、レンズホルダ７の重量より重くても良い。
【００６９】
上述した形態では、検査用治具２５の上面部２６ｂに４個の被搭載部２６ｅが９０°ピッチで形成されている。この他にもたとえば、上面部２６ｂに円環状の１個の被搭載部が形成されても良い。
【００７０】
上述した形態では、凸部８ｃに形成される突起部８ｄの上端面が搭載面８ｅとなっている。この他にもたとえば、下方向へ窪む凹部が凸部８ｃに形成されるとともに、上下方向に略直交するこの凹部の底面が搭載面８ｅとなっていても良い。また、凸部８ｃの上端側に突起部８ｄが形成されずに、凸部８ｃの上端面である規制面８ｆが搭載面８ｅとなっていても良い。さらに、スリーブ８の上端側に凸部８ｃが形成されずに、スリーブ８の上端面が規制面８ｆおよび搭載面８ｅとなっていても良い。また、スリーブ８の上端側に凸部８ｃが形成されずに突起部８ｄが形成されて、突起部８ｄの上端面が搭載面８ｅとなり、突起部８ｄの上端面を除くスリーブ８の上端面が規制面８ｆとなっていても良い。また、上述した形態では、共通の凸部８ｃに規制面８ｆと搭載面８ｅとが形成されているが、規制面８ｆが形成される凸部と搭載面８ｅが形成される凸部とが個別に形成されても良い。この場合には、規制面８ｆは、搭載面８ｅよりも下側に配置されても良いし、搭載面８ｅよりも上側に配置されても良い。
【００７１】
上述した形態では、突起部８ｄの上端面が搭載面８ｅとなっており、スリーブ８の上端側に搭載面８ｅが形成されている。この他にもたとえば、スリーブ８の下端側に検査用治具２５が搭載される搭載面が形成されても良い。たとえば、スリーブ８の下端側の内周面から径方向の内側に突出する突出部が形成され、この突出部の上面が搭載面となっていても良い。この場合には、たとえば、治具本体２６の下面が、この搭載面に搭載される被搭載面となる。また、この場合には、複数の突出部が所定の角度ピッチで形成されても良いし、円環状の１個の突出部が形成されても良い。なお、上述した形態のように、スリーブ８の上端側に搭載面８ｅが形成されていると、スリーブ８の上端面をそのまま搭載面８ｅとして利用することができるため、スリーブ８の下端側に搭載面が形成されている場合と比較して、スリーブ８の構成を簡素化することが可能になる。
【００７２】
上述した形態では、検査用治具２５を用いて、可動体２の移動量およびチルトの測定が行われているが、検査用治具２５を用いて、可動体２の移動量またはチルトの測定の一方のみが行われても良い。また、上述した形態では、駆動用磁石１７は、レンズ駆動装置１の４つの側面のそれぞれに沿って配置されているが、駆動用磁石１７は、レンズ駆動装置１の四隅のそれぞれに配置されても良い。また、上述した形態では、レンズ駆動装置１は、光軸方向から見たときの形状が略正方形状となるように形成されているが、レンズ駆動装置１は、光軸方向から見たときの形状が略長方形状となるように形成されても良いし、光軸方向から見たときの形状が略六角形状等の略多角形となるように形成されても良い。また、レンズ駆動装置１は、光軸方向から見たときの形状が略円形状や略楕円形状となるように形成されても良い。
【符号の説明】
【００７３】
１  レンズ駆動装置
２  可動体
３  固定体
４  駆動機構
７  レンズホルダ
８ａ  当接面
８ｅ  搭載面
１０ａ  底部（端面部材）
１０ｃ  開口部
１１ｂ  基準面
２５  検査用治具
２６ａ  本体部
２６ｂ  上面部（端面部）
２６ｅ  被搭載部
２６ｈ  上面（被写体側端面の一部）
２７  鏡
２７ａ  光反射面（被写体側端面の一部）
Ｄ  端面部の外周端と開口部の縁との最小距離
Ｌ  光軸
Ｚ  光軸方向
Ｚ１  被写体側
Ｚ２  反被写体側
【図１】
0005762905.tif 000002
【図２】
0005762905.tif 000003
【図３】
0005762905.tif 000004
【図４】
0005762905.tif 000005
【図５】
0005762905.tif 000006
【図６】
0005762905.tif 000007
【図７】
0005762905.tif 000008
【図８】
0005762905.tif 000009
【図９】
0005762905.tif 000010
【図１０】
0005762905.tif 000011
【図１１】
0005762905.tif 000012